(57)【要約】【課題】データ通信中に通信先の基地局が切り替わって通信レートが低下する場合に、データ通信を無条件に継続せずに、常にユーザの意向に沿ったデータ通信を可能にする。【解決手段】データ通信中にcdma2000 1x-EVDO方式の基地局からcdma2000 1x方式の基地局へのハンドオフが行われる際に、上記データ通信の残り通信時間を計算してこれをしきい値と比較し、残り通信時間がしきい値未満の場合にはcdma2000 1x方式の基地局との間でデータ通信を継続する。一方、残り通信時間がしきい値以上でかつ予め自動中止モードが設定されている場合には、上記データ通信を中止する。これに対し手動中止モードが設定されている場合には、ユーザにデータ通信を継続するか否かを問い合わせるメッセージを表示し、ユーザが中止を選択すればデータ通信を中止し、ユーザが継続を選択すればcdma2000 1x方式の基地局との間でデータ通信を継続する。【選択図】図２
2007184771.tif 000002
【特許請求の範囲】
【請求項１】
第１の基地局との間で第１の通信レートによりデータ通信を行う手段と、
第２の基地局との間で前記第１の通信レートよりも高速度の第２の通信レートによりデータ通信を行う手段と、
前記第２の基地局との間でデータ通信を行っている期間に、通信相手を当該第２の基地局から前記第１の基地局に切り替える手段と、
前記通信相手の切り替えに先立ち、未通信のデータ残量と前記第１の通信レートとをもとに前記切り替え時点から前記データ通信が終了するまでに必要な残り通信時間を予測する手段と、
前記予測された残り通信時間をユーザに提示する手段と
を具備することを特徴とする移動通信端末。
【請求項２】
前記残り通信時間が提示された状態で、前記ユーザによる通信継続指示又は通信中止指示の入力を受け付ける手段と、
前記通信継続指示が入力された場合に前記第１の基地局との間でデータ通信を継続し、一方前記通信終了指示が入力された場合には前記第１の基地局との間のデータ通信を中止する手段と
を、さらに具備することを特徴とする請求項１記載の移動通信端末。
【請求項３】
第１の基地局との間で第１の通信レートによりデータ通信を行う手段と、
第２の基地局との間で前記第１の通信レートよりも高速度の第２の通信レートによりデータ通信を行う手段と、
前記第２の基地局との間でデータ通信を行っている期間に、通信相手を当該第２の基地局から前記第１の基地局に切り替える手段と、
前記通信相手の切り替えに先立ち、未通信のデータ残量と前記第１の通信レートとをもとに前記切り替え時点から前記データ通信が終了するまでに必要な残り通信時間を予測する手段と、
前記予測された残り通信時間を予め設定されたしきい値と比較して、残り通信時間がしきい値より長いか短いかを判定する手段と、
前記残り通信時間がしきい値より短い場合に前記第１の基地局との間でデータ通信を継続し、一方前記残り通信時間がしきい値より長い場合には前記第１の基地局との間のデータ通信を中止する手段と
を具備することを特徴とする移動通信端末。
【請求項４】
ユーザによる前記しきい値の入力を受け付け、この入力されたしきい値を記憶する手段を、さらに具備することを特徴とする請求項３記載の移動通信端末。
【請求項５】
第１の基地局との間で第１の通信レートによりデータ通信を行う手段と、
第２の基地局との間で前記第１の通信レートよりも高速度の第２の通信レートによりデータ通信を行う手段と、
ユーザによる自動中止モードの設定指示或いは手動中止モードの設定指示の入力を受け付け、設定指示されたモードを保存する手段と、
前記第２の基地局との間でデータ通信を行っている期間に、通信相手を当該第２の基地局から前記第１の基地局に切り替える手段と、
前記通信相手の切り替えに先立ち、未通信のデータ残量と前記第１の通信レートとをもとに前記切り替え時点から前記データ通信が終了するまでに必要な残り通信時間を予測する手段と、
前記予測された残り通信時間を予め設定されたしきい値と比較して、残り通信時間がしきい値より長いか短いかを判定する手段と、
前記残り通信時間がしきい値より短い場合に、前記第１の基地局との間でデータ通信を継続する手段と、
前記残り通信時間がしきい値より長い場合に、前記自動中止モードが保存されているか手動中止モードが保存されているかを判定する手段と、
前記自動中止モードが保存されていると判定された場合に、前記第１の基地局との間のデータ通信を中止する手段と、
前記手動中止モードが保存されていると判定された場合に、前記予測された残り通信時間を前記ユーザに提示する手段と、
前記残り通信時間が提示された状態で、前記ユーザによる通信継続指示又は通信中止指示の入力を受け付ける手段と、
前記通信継続指示が入力された場合に前記第１の基地局との間で前記データ通信を継続し、一方前記通信終了指示が入力された場合には前記第１の基地局との間のデータ通信を中止する手段と
を具備することを特徴とする移動通信端末。
【請求項６】
前記第１の基地局との間のデータ通信が中止された場合に中止情報を保存する手段と、
前記中止情報が保存されている状態で前記第２の基地局の捕捉を試行する手段と、
前記試行により前記第２の基地局が捕捉された場合に、前記中止されたデータ通信を再開するか否かを表す問い合わせメッセージを前記ユーザに提示する手段と、
前記問い合わせメッセージが提示された状態で、前記ユーザによる通信再開指示の入力を受け付ける手段と、
前記通信再開指示が入力された場合に、前記捕捉された第２の基地局との間で前記中止されたデータ通信を再開する手段と
を、さらに具備することを特徴とする請求項２、３又は５記載の移動通信端末。
【請求項７】
前記第１の基地局との間のデータ通信が中止された場合に中止情報を保存する手段と、
前記中止情報が保存されている状態で前記第２の基地局の捕捉を試行する手段と、
前記試行により前記第２の基地局が捕捉された場合に、当該捕捉された第２の基地局との間で前記中止されたデータ通信を再開する手段と
を、さらに具備することを特徴とする請求項２、３又は５記載の移動通信端末。
【発明の詳細な説明】
【技術分野】
【０００１】
この発明は、例えば携帯電話機やＰＤＡ（Personal Digital Assistant）などの移動通信端末に係わり、特に通信レートの異なる複数の基地局に接続可能な移動通信端末に関する。
【背景技術】
【０００２】
従来、移動通信方式の一つとしてQualcomm社によるcdma2000 1x方式が使用されている。この方式はcdmaOne方式を広帯域化したもので、通信レートは下り方向（基地局から移動通信端末への方向）において最大163.2Kbps、上り方向（移動通信端末から基地局への方向）において最大86.4Kbpsである。
【０００３】
一方、最近では高速移動通信方式の一つとしてcdma2000 1x-EVDO方式が開発されている。cdma2000 1x-EVDO方式は、cdma2000 1x方式の拡張方式であるＨＤＲ（High Data Rate）方式を標準化したもので、日本では電波産業界ARIBにおいてSTD.T-64 IS-2000 C.S.0024 “cdma2000 High Rate Packet Data Air Interface Specification”として標準化されている。なお、cdma2000 1x-EVDO方式のEVDOはEvolution Data onlyの略である。
【０００４】
cdma2000 1x-EVDO方式は、移動通信端末から通知された当該移動通信端末の受信状態を表す情報に基づいて、基地局が当該端末へ送信するデータの変調方式を切り替えるもので、これにより当該端末の受信状態が良好なときには誤り耐性は低いが高速な通信レートを、一方受信状態が劣化しているときには低速だが誤り耐性の高い通信レートを使用してデータ通信を行うことが可能である。cdma2000 1x-EVDO方式の通信レートは、下り方向において最大2.4Mbps、上り方向において最大153.6Kbpsであり、cdma2000 1x方式に比べ格段に高速のデータ通信が可能である。
【０００５】
ところで、現在のシステムでは、cdma2000 1x方式を使用する基地局と、cdma2000 1x-EVDO方式を使用する基地局とが併用されており、それに伴い移動通信端末においても上記両方の方式に対応する機能を備えたハイブリッドの端末が開発されている。この種の端末を使用すれば、その時々の期待できる通信レートに応じて上記cdma2000 1x方式とcdma2000 1x-EVDO方式とを選択することにより、常に安定したデータ通信を行うことが可能である（例えば、特許文献１を参照。）。
【特許文献１】特開２００２−３４５６１９号公報
【発明の開示】
【発明が解決しようとする課題】
【０００６】
ところが、従来の移動通信端末では、cdma2000 1x-EVDO方式により通信を行っているときに移動通信端末がcdma2000 1x-EVDO方式に対応した基地局が無いエリアに移動してハンドオフした場合、またはcdma2000 1x-EVDO方式の通信環境が悪くなると、無条件にcdma2000 1x方式に切り替えられる。このため、例えば移動通信端末がcdma2000 1x-EVDO方式の基地局からデータをダウンロードしている最中に移動通信端末が移動し、通信先の基地局がcdma2000 1x方式の基地局に切り替えられると、つまりハンドオフが行われると、上記データの伝送レートが大幅に低下して、データのダウンロードに予想外の時間がかかってしまうことがあり、これがユーザにとって大きなストレスになると云う問題点があった。
【０００７】
この発明は上記事情に着目してなされたもので、その目的とするところは、データ通信の最中に通信先の基地局が切り替わって通信レートが低下する場合に、データ通信が無条件に継続されないようにし、これにより常にユーザの意向に沿った最適なデータ通信を実行し得る移動通信端末を提供することにある。
【課題を解決するための手段】
【０００８】
上記目的を達成するためにこの発明の第１の観点は、第１の基地局との間で第１の通信レートによりデータ通信を行う手段と、第２の基地局との間で上記第１の通信レートよりも高速度の第２の通信レートによりデータ通信を行う手段と、上記第２の基地局との間でデータ通信を行っている期間に、通信相手を当該第２の基地局から上記第１の基地局に切り替える手段とを備える移動通信端末にあって、  
上記通信相手の切り替えに先立ち、未通信のデータ残量と上記第１の通信レートとをもとに上記切り替え時点から上記データ通信が終了するまでに必要な残り通信時間を予測し、この予測された残り通信時間をユーザに提示するようにしたものである。
【０００９】
したがって、データ通信の最中に通信相手の基地局が高通信レートの第２の基地局から低通信レートの第１の基地局に切り替わる場合に、通信を終了するまでに必要な残り通信時間が推定されてこれがユーザに提示される。このため、ユーザは上記提示により残り通信時間を確認した上で、データ通信を継続するか或いはデータ通信を中止するかを任意に指定することが可能となる。
【００１０】
また上記目的を達成するためにこの発明の第２の観点は、第１の基地局との間で第１の通信レートによりデータ通信を行う手段と、第２の基地局との間で上記第１の通信レートよりも高速度の第２の通信レートによりデータ通信を行う手段と、上記第２の基地局との間でデータ通信を行っている期間に、通信相手を当該第２の基地局から上記第１の基地局に切り替える手段とを備える移動通信端末にあって、  
上記通信相手の切り替えに先立ち、未通信のデータ残量と上記第１の通信レートとをもとに上記切り替え時点から上記データ通信が終了するまでに必要な残り通信時間を予測し、上記予測された残り通信時間を予め設定されたしきい値と比較して残り通信時間がしきい値より長いか短いかを判定する。そして、この判定の結果、残り通信時間がしきい値より短い場合には第１の基地局との間でデータ通信を継続し、一方残り通信時間がしきい値より長い場合には第１の基地局との間のデータ通信を中止するようにしたものである。
【００１１】
したがって、データ通信の最中に通信相手の基地局が高通信レートの第２の基地局から低通信レートの第１の基地局に切り替わる場合に、通信を終了するまでに必要な残り通信時間が推定されてこれがしきい値と比較され、その比較結果をもとにデータ通信の継続処理或いは中止処理が実行される。すなわち、データ通信を継続するか或いはデータ通信を中止するかが自動的に判定され、その判定結果に基づいて処理が実行される。このため、残り通信時間の推定値がしきい値より短い場合におけるユーザの操作を不要にして操作性を改善することができる。
【００１２】
さらに上記目的を達成するためにこの発明の第３の観点は、第１の基地局との間で第１の通信レートによりデータ通信を行う手段と、第２の基地局との間で上記第１の通信レートよりも高速度の第２の通信レートによりデータ通信を行う手段と、上記第２の基地局との間でデータ通信を行っている期間に、通信相手を当該第２の基地局から上記第１の基地局に切り替える手段とを備える移動通信端末にあって、  
ユーザによる自動中止モードの設定指示或いは手動中止モードの設定指示の入力を受け付けてこの設定指示されたモードを保存する手段を備える。そして、通信相手の切り替えに先立ち未通信のデータ残量と上記第１の通信レートとをもとに上記切り替え時点から上記データ通信が終了するまでに必要な残り通信時間を予測し、この予測された残り通信時間を予め設定されたしきい値と比較して残り通信時間がしきい値より長いか短いかを判定する。この判定の結果、残り通信時間がしきい値より短い場合には上記第１の基地局との間でデータ通信を継続させる。一方、残り通信時間がしきい値より長い場合には、自動中止モードが保存されているか手動中止モードが保存されているかを判定し、自動中止モードが保存されている場合には第１の基地局との間のデータ通信を中止する。これに対し、手動中止モードが保存されていると判定された場合には、上記予測された残り通信時間をユーザに提示し、この状態でユーザによる通信継続指示又は通信中止指示の入力を受け付ける。そして、通信継続指示が入力された場合には第１の基地局との間で上記データ通信を継続し、一方通信終了指示が入力された場合には第１の基地局との間のデータ通信を中止するようにしたものである。
【００１３】
したがって、残り通信時間の推定値がしきい値より短い場合にはデータ通信が自動的に継続され、これに対し残り通信時間の推定値がしきい値より長い場合には、ユーザにより予め設定されたモードに従い自動中止処理又は手動中止処理が実行される。
【発明の効果】
【００１４】
要するにこの発明によれば、データ通信の最中に通信先の基地局が切り替わって通信レートが低下する場合に、データ通信が無条件に継続されないようにでき、これにより常にユーザの意向に沿った最適なデータ通信を実行することが可能な移動通信端末を提供することができる。
【発明を実施するための最良の形態】
【００１５】
以下、図面を参照してこの発明の実施形態を説明する。  
図１は、この発明に係わる移動通信端末の一実施形態である携帯電話機の構成を示すブロック図である。図示しない基地局から送信された無線信号は、アンテナ１で受信されたのち無線ユニット２に入力される。無線ユニットは、アンテナ共用器（ＤＵＰ）３と、受信ユニット４と、送信ユニット５とから構成される。アンテナ共用器３は、上記アンテナ１により受信された無線信号を受信ユニット４に入力すると共に、送信ユニット５から出力された無線信号を上記アンテナ１に供給する。
【００１６】
受信ユニット４は、ＥＶＤＯ対応受信回路４１と、１ｘ対応受信回路４２と、切替回路（図示せず）とを備える。ＥＶＤＯ対応受信回路４１は、cdma2000 1x-EVDO方式の基地局から送信された無線信号を中間周波信号にダウンコンバートしたのち直交復調し、この受信ベースバンド信号をＣＤＭＡ信号処理ユニット６に入力する。１ｘ対応受信回路４２は、cdma2000 1x方式の基地局から送信された無線信号を中間周波信号にダウンコンバートしたのち直交復調し、この受信ベースバンド信号をＣＤＭＡ信号処理ユニット６に入力する。切替回路は、制御ユニット２０から出力される切替制御信号に応じて、上記ＥＶＤＯ対応受信回路４１及び１ｘ対応受信回路４２をアンテナ共用器３とＣＤＭＡ信号処理ユニット６との間に択一的に接続する。
【００１７】
ＣＤＭＡ信号処理ユニット６はＲＡＫＥ受信機を備える。ＲＡＫＥ受信機は、上記受信ベースバンド信号に含まれる複数のパスの信号をそれぞれ拡散符号により逆拡散処理して再生する。そして、この再生された各パスの信号を位相を調停したのち合成する。かくして、所定の伝送フォーマットの受信パケットデータが得られる。この受信パケットデータは圧縮／伸長処理ユニット（以後コンパンダ（compander）と称する）７に入力される。
【００１８】
コンパンダ７は、上記ＣＤＭＡ信号処理ユニット６から出力された受信パケットデータを多重分離ユニットによりメディアごとに分離する。そして、この分離されたメディアごとのデータに対しそれぞれ復号処理を行う。例えば、受信パケットデータにオーディオデータが含まれていれば、このオーディオデータをスピーチコーデックにより復号する。また受信パケットデータにビデオデータが含まれていれば、このビデオデータをビデオコーデックにより復号する。
【００１９】
上記復号処理により得られたディジタルオーディオ信号はＰＣＭ符号処理ユニット（以後ＰＣＭコーデックと称する）８に供給される。ＰＣＭコーデック８は、コンパンダ７から出力されたディジタルオーディオ信号をＰＣＭ復号してアナログオーディオ信号を出力する。このアナログオーディオ信号は、受話増幅器９にて増幅されたのちスピーカ１０より出力される。
【００２０】
上記コンパンダ７のビデオコーデックにより復号されたディジタルビデオ信号は、制御ユニット２０に入力される。制御ユニット２０は、上記コンパンダ７から出力されたディジタルビデオ信号を、ビデオＲＡＭを介して表示デバイス１５に表示する。表示デバイス１５はＬＣＤ（Liquid Crystal Devise）により構成される。なお、制御ユニット２０は、受信されたビデオデータばかりでなく、図示しないカメラにより撮像されたビデオデータについてもビデオＲＡＭを介して表示デバイス１５に表示する。
【００２１】
また上記コンパンダ７は、受信パケットデータが電子メールの場合には、この電子メールを制御ユニット２０へ出力する。制御ユニット２０は、上記電子メールを記憶ユニット１３のメール記憶領域に記憶する。そして、入力デバイス１４においてユーザが行った表示操作に応じて、上記メール記憶領域から上記電子メールを読み出して表示デバイス１５に表示する。なお、表示デバイス１５には、携帯電話機の動作モードを表す情報や、着信報知情報、バッテリ１６の残量又は充電状態を表す情報、現在時刻を表す時計等も表示される。
【００２２】
一方、マイクロホン１１に入力された話者の音声信号は、送話増幅器１２により適正レベルまで増幅されたのち、ＰＣＭコーデック８にてＰＣＭ符号化処理が施され、ディジタルオーディオ信号となってコンパンダ７に入力される。また、図示しないカメラから出力されるビデオ信号は、制御ユニット２０によりディジタル化されてコンパンダ７に入力される。なお、制御ユニット２０において作成された電子メールも、制御デバイス２０からコンパンダ７に入力される。
【００２３】
コンパンダ７は、ＰＣＭコーデック８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２０から出力されたディジタルビデオ信号を符号化してビデオデータを生成する。そして、これらのオーディオデータ及びビデオデータを多重分離ユニットで所定の伝送フォーマットに従い多重化して送信パケットデータを生成し、この送信パケットデータをＣＤＭＡ信号処理ユニット６へ出力する。なお、制御ユニット２０から電子メールが出力された場合にも、この電子メールを送信パケットデータに変換する。
【００２４】
ＣＤＭＡ信号処理ユニット６は、上記コンパンダ７から出力された送信パケットデータに対し、送信チャネルに割り当てられた拡散符号を用いてスペクトラム拡散処理を施す。そして、その出力信号を送信ユニット５へ出力する。
【００２５】
送信ユニット５は、ＥＶＤＯ対応送信回路５１と、１ｘ対応送信回路５２と、切替回路（図示せず）とを備える。ＥＶＤＯ対応送信回路５１は、cdma2000 1x-EVDO方式の基地局との間で通信を行っている状態で、上記スペクトラム拡散処理された送信信号をＱＰＳＫ（Quadrature Phase Shift Keying）方式又はＱＡＭ（Quadrature Amplitude Modulation）方式等のディジタル変調方式を使用して変調する。そして、この変調により生成された送信信号を無線信号にアップコンバートし、さらに制御ユニット２０により指示される送信電力レベルに高周波増幅して出力する。この増幅された無線信号は、アンテナ共用器３を介してアンテナ１に供給され、このアンテナ１からcdma2000 1x-EVDO方式の基地局へ向け送信される。
【００２６】
１ｘ対応送信回路５２は、cdma2000 1x方式の基地局との間で通信を行っている状態で、上記スペクトラム拡散処理された送信信号をＱＰＳＫ方式等のディジタル変調方式を使用して変調する。そして、この変調により生成された送信信号を無線信号にアップコンバートし、さらに制御ユニット２０により指示される送信電力レベルに高周波増幅して出力する。この増幅された無線信号は、アンテナ共用器３を介してアンテナ１に供給され、このアンテナ１からcdma2000 1x方式の基地局へ向け送信される。
【００２７】
切替回路は、制御ユニット２０から出力される切替制御信号に応じて、上記ＥＶＤＯ対応送信回路５１及び１ｘ対応送信回路５２をＣＤＭＡ信号処理ユニット６とアンテナ共用器３との間に択一的に接続する。
【００２８】
入力デバイス１４には、ダイヤルキーと、複数の機能キーが設けられている。電源回路１７は、バッテリ１６の電源出力をもとに所定の動作電源電圧Ｖccを生成して各ユニットに供給する。なお、バッテリ１６は商用電力をもとに充電回路１８により充電される。
【００２９】
ところで、制御ユニット２０はマイクロコンピュータを備えたもので、次のように構成される。図２はその構成を示すブロック図である。制御ユニット２０は、中央処理ユニット（ＣＰＵ；Central Processing Unit）２１を備える。ＣＰＵ２１には、バス２２を介してプログラムメモリ２３と、データメモリ２４と、入出力インタフェース（入出力Ｉ／Ｆ）２５がそれぞれ接続される。
【００３０】
入出力Ｉ／Ｆ２５は、前記無線ユニット２、ＣＤＭＡ信号処理ユニット６、コンパンダ７、ＰＣＭコーデック８、記憶ユニット１３、入力デバイス１４及び表示デバイス１５との間で、制御信号やデータの入出力処理を行う。
【００３１】
プログラムメモリ２３には、この発明を実施するために必要なアプリケーションプログラムとして、通信モード切替制御プログラム２３１と、判定条件設定制御プログラム２３２と、通信継続／中止判定プログラム２３３と、通信自動中止制御プログラム２３４と、通信手動中止制御プログラム２３５と、通信再開制御プログラム２３６が格納されている。
【００３２】
通信モード切替制御プログラム２３１は、データ通信中に通信相手をcdma2000 1x-EVDO方式の基地局からcdma2000 1x方式の基地局にハンドオフする場合に、それに伴い自端末の通信モードをcdma2000 1x-EVDO方式からcdma2000 1x方式に切り替える処理を、ＣＰＵ２１に実行させる。
【００３３】
判定条件設定制御プログラム２３２は、入力デバイス１４においてユーザが入力する判定条件を入出力Ｉ／Ｆ２５を介して受け取り、これをデータメモリ２４の条件記憶部２４１に記憶させる処理を、ＣＰＵ２１に実行させる。入力される判定条件には、通信モードの切り替えに際しデータ通信を継続するか中止するかを判定するしきい値と、データ通信を中止する場合に自動中止モードとするか手動中止モードとするかを指定する中止モード情報とがある。
【００３４】
通信継続／中止判定プログラム２３３は、通信モードがcdma2000 1x-EVDO方式からcdma2000 1x方式に切り替えられる場合に、それに先立ち未通信データ量とcdma2000 1x方式におけるデータ伝送レートとから残り通信時間を算出する。そして、この算出した残り通信時間を上記条件記憶部２４１に保存されたしきい値と比較して、cdma2000 1x方式への切り替え後もデータ通信を継続するか中止するかを判定する処理を、ＣＰＵ２１に実行させる。
【００３５】
通信自動中止制御プログラム２３４は、上記通信継続／中止判定プログラム２３３によりデータ通信中止と判定され、かつ条件記憶部２４１に自動中止モードが保存されている場合に、データ通信を途中で中止して待ち受け状態に移行する処理を、ＣＰＵ２１に実行させる。また、上記中止処理においては、中止されたデータ通信を再開する際に必要な中断情報を生成してこれを条件記憶部２４１に保存させる。
【００３６】
通信手動中止制御プログラム２３５は、上記通信継続／中止判定プログラム２３３によりデータ通信中止と判定され、かつ条件記憶部２４１に手動中止モードが保存されている場合に、データ通信を継続するか中止するかをユーザに問い合わせるためのメッセージを生成して表示デバイス１５に表示させる。そして、この状態でユーザが入力デバイス１４により中止要求を入力した場合にデータ通信を途中で中止して待ち受け状態に移行し、一方継続指示を入力した場合には切り替え後のcdma2000 1x方式の基地局との間でデータ通信を継続する処理を、ＣＰＵ２１に実行させる。また、この場合にも、上記中止処理において中止されたデータ通信を再開する際に必要な中断情報を生成してこれを条件記憶部２４１に保存させる。
【００３７】
通信再開制御プログラム２３６は、条件記憶部２４１に中断情報が保存されている場合に、待ち受け状態において定期的にcdma2000 1x-EVDO方式の基地局の捕捉を試行する。そして、cdma2000 1x-EVDO方式の基地局との間でデータ通信が可能になった場合に、上記中断情報に従い前記中止したデータ通信を最初からやり直す処理を、ＣＰＵ２１に実行させる。
【００３８】
データメモリ２４には条件記憶部２４１が設けてある。この条件記憶部２４１は、上記判定条件設定制御プログラム２３２により入力が受け付けられたしきい値及び中止モード情報と、上記通信自動中止制御プログラム２３４又は通信手動中止制御プログラム２３５により生成された中断情報を保存するために用いられる。
【００３９】
次に、以上のように構成された携帯電話機の動作を説明する。  
（１）判定条件の設定処理  
データ通信の継続／中止制御の実行に先立ち、ＣＰＵ２１は判定条件の設定制御を以下のように実行する。図３はその制御手順と制御内容を示すフローチャートである。  
すなわち、待ち受け状態においてＣＰＵ２１は、判定条件設定モードが選択された状態でステップＳ３１においてしきい値の入力を監視する。この状態で、ユーザが入力デバイス１４においてしきい値を入力すると、ＣＰＵ２１は上記入力されたしきい値を表す情報を入出力Ｉ／Ｆ２５を介して受け取る。しきい値は残り通信時間を判定するものであるため、時間値として入力される。
【００４０】
続いてＣＰＵ２１は、ステップＳ３２において中止モードの選択メニューを表示デバイス１５に表示させ、中止モードの入力を監視する。この状態でユーザが、上記表示された中止モードの選択メニューのうち自動中止モードと手動中止モードのいずれかを入力デバイス１４において選択入力すると、ＣＰＵ２１はこの選択入力された中止モードを入出力Ｉ／Ｆ２５を介して受け取る。そして、自動中止モードが選択された場合にはステップＳ３３に移行して当該自動中止モードの設定情報を生成し、一方手動中止モードが選択された場合にはステップＳ３４に移行して当該手動中止モードの設定情報を生成する。
【００４１】
最後にＣＰＵ２１は、ステップＳ３５において上記受け取ったしきい値を表す情報と、上記生成された自動中止モードの設定情報又は手動中止モードの設定情報を、データメモリ２４内の条件記憶部２４１に記憶させる。そして、この記憶処理終了後に待ち受け状態に戻る。
【００４２】
（２）データ通信の継続／中止処理  
cdma2000 1x-EVDO方式の基地局が捕捉された状態で、ユーザが入力デバイス１４において、図示しないコンテンツ配信サーバからコンテンツデータをダウンロードするための操作を行うか、又は他の端末へデータを送信するための操作を行ったとする。そうするとＣＰＵ２１は、次のようにデータ通信のための制御を実行する。図４はその制御手順と制御内容を示すフローチャートである。
【００４３】
すなわち、ＣＰＵ２１はステップＳ４１によりデータの受信又は送信制御を開始すると、先ずステップＳ４２において通信データサイズを取得してデータメモリ２４の条件記憶部２４１に記憶させる。例えば、データを受信する場合には受信データのヘッダ情報から受信する総データサイズを取得し、一方データを送信する場合には送信しようとする総データサイズを取得し、これらを条件記憶部２４１に記憶させる。そして、このデータサイズの記憶終了後に、ＣＰＵ２１はステップＳ４３においてデータの受信又は送信制御を実行する。かくして、受信の場合には、コンテンツサーバ等からダウンロードされたコンテンツ等のデータが受信されて記憶ユニット１３に格納される。一方送信の場合には、記憶ユニット１３又はデータメモリ２４内から読み出された電子メール等のデータが送信される。
【００４４】
上記データの受信又は送信の実行中にＣＰＵ２１は、ステップＳ４４においてハンドオフを監視する。この状態で、例えば携帯電話機を所持したユーザがcdma2000 1x-EVDO方式の基地局が形成する無線エリアからcdma2000 1x方式の基地局が形成する無線エリアに移動したとする。そうするとＣＰＵ２１は、通信相手をcdma2000 1x-EVDO方式の基地局からcdma2000 1x方式の基地局に切り替える、いわゆるハンドオフ制御を実行する。
【００４５】
上記ハンドオフの実行に際しＣＰＵ２１は、次のようにデータ通信継続／中止制御を実行する。すなわち、先ずステップＳ４５において、未通信データ量とcdma2000 1x方式におけるデータ伝送レートとから残り通信時間を算出する。未通信データ量は次のように求められる。
【００４６】
すなわち、受信の場合には、条件記憶部２４１に記憶された総受信データサイズから、受信済みのパケット量又はデータ量を引き算することにより求められる。一方送信の場合には、条件記憶部２４１に記憶された総送信データサイズから、送信済みのパケット量又はデータ量を引き算することにより求められる。なお、パケット量はプロトコルレイヤにおいて求められ、またデータ量はアプリケーションレイヤにおいて求められる。また、cdma2000 1x方式における通信レートは、例えば過去の一定期間におけるスループットをもとに計算することができる。
【００４７】
続いてＣＰＵ２１は、ステップＳ４６により上記算出した残り通信時間を上記条件記憶部２４１に保存されたしきい値と比較して、cdma2000 1x方式への切り替え後もデータ通信を継続するか中止するかを判定する。そして、残り通信時間がしきい値より短ければステップＳ４７に移行し、ここでcdma2000 1x方式に切り替わった後に引き続きデータのダウンロード又はメール等のデータの送信を実行する。
【００４８】
これに対し上記判定の結果、残り通信時間がしきい値以上だったとする。この場合ＣＰＵ２１はステップＳ４８に移行し、ここで中止モードを判定する。そして、上記条件記憶部２４１に自動中止モードの設定情報が保存されていれば、ステップＳ５１に移行して以後のデータのダウンロード又は送信を中止すると共に、後のデータ通信の再開に備えて中止情報を条件記憶部２４１に記憶させる。また、ステップＳ５２において、データ通信を中止するまでの間に受信されて記憶ユニット１３に記憶されたデータを消去し、待ち受け状態に移行する。
【００４９】
これに対し上記条件記憶部２４１に手動中止モードの設定情報が保存されていたとする。この場合ＣＰＵ２１は、ステップＳ４９に移行してここでデータ通信を継続するか中止するかをユーザに問い合わせるためのメッセージを生成して表示デバイス１５に表示させる。そして、この状態でユーザが入力デバイス１４により中止要求を入力すると、ＣＰＵ２１はステップＳ５１に移行してここでデータの受信又は送信を途中で中止して待ち受け状態に移行する。なお、この場合にも、データ通信の再開に備えて中止情報が生成され条件記憶部２４１に記憶され、かつ記憶ユニットに記憶された受信済みのデータは消去される。
【００５０】
一方、ユーザがデータ通信の継続指示を入力したとする。この場合ＣＰＵ２１は、ステップＳ４７に移行して、cdma2000 1x方式に切り替わった後に引き続きデータのダウンロード又はメール等の送信を実行する。
【００５１】
なお、上記cdma2000 1x方式の基地局との間で継続してデータ通信を行っている間に、当該携帯電話機を所持するユーザが再びcdma2000 1x-EVDO方式の基地局の無線エリアに移動した場合には、ＣＰＵ２１はcdma2000 1x-EVDO方式の基地局が捕捉されてデータ通信が可能になった後に、当該cdma2000 1x-EVDO方式の基地局との間でデータ通信を無条件に継続する。なお、この場合、データ通信を無条件に継続せず、cdma2000 1x-EVDO方式の基地局との間の現在の通信レートを推定し、この通信レートがしきい値以上の場合にデータ通信を継続するようにしてもよい。
【００５２】
（３）中止後のデータ通信の再開処理  
データ通信の中止処理が行われると、ＣＰＵ２１は次のようにデータ通信再開制御を実行する。図５はその制御手順と制御内容を示すフローチャートである。  
すなわち、条件記憶部２４１に中断情報が保存されている場合にＣＰＵ２１は、待ち受け状態においてステップＳ６１により定期的にcdma2000 1x-EVDO方式の基地局の捕捉を試行する。そして、cdma2000 1x-EVDO方式の基地局との間でデータ通信が可能になると、ステップＳ６２からステップＳ６３に移行し、ここでデータ通信をリトライするか否かをユーザに問い合わせるためのメッセージを生成して、このメッセージを入出力Ｉ／Ｆ２５を介して表示デバイス１５に表示させる。
【００５３】
この状態で、ユーザが入力デバイス１４において「リトライする」を選択入力したとする。そうするとＣＰＵ２１は、この入力指示をステップＳ６５で認識し、条件記憶部２４１に保存された中止情報をもとに以後cdma2000 1x-EVDO方式の基地局との間でデータ通信を再開する。これに対し、ユーザが入力デバイス１４において「リトライしない」を選択入力すると、cdma2000 1x-EVDO方式の基地局との間の無線リンクを開放して待ち受け状態に復帰する。なお、この待ち受け状態に復帰する際には、条件記憶部２４１に保存された中止情報を削除する。
【００５４】
以上述べたようにこの実施形態では、データ通信中にcdma2000 1x-EVDO方式の基地局からcdma2000 1x方式の基地局へのハンドオフが行われる際に、上記データ通信の残り通信時間を計算してこれをしきい値と比較し、残り通信時間がしきい値未満の場合にはcdma2000 1x方式の基地局との間でデータ通信を継続する。一方、残り通信時間がしきい値以上でかつ予め自動中止モードが設定されている場合には、上記データ通信を中止して待ち受け状態に移行する。これに対し手動中止モードが設定されている場合には、ユーザにデータ通信を継続するか否かを問い合わせるメッセージを表示し、ユーザが中止を選択すればデータ通信を中止して待ち受け状態に移行する。一方、ユーザが継続を選択すればcdma2000 1x方式の基地局との間でデータ通信を継続するようにしている。
【００５５】
したがって、少なくとも残り通信データ量がしきい値未満の場合か、又はユーザ自身がデータ通信継続指示を選択入力した場合にのみデータ通信が継続される。このため、ユーザにとってはハンドオフ後に無条件にデータ通信が継続される心配が無くなり、これによりデータ通信に予想外の時間と通信費用がかかる不具合を防止することができる。
【００５６】
また、自動中止モードを設定しておくことで、残り通信データ量がしきい値以上の場合にはデータ通信が自動的に中止される。このため、ユーザはその都度データ通信の中止操作を行う必要がなくなる。しかも、しきい値はユーザが任意に設定できるので、データ通信の自動継続及び自動中止にユーザの意思を反映させることができる。
【００５７】
さらに、データ通信を中止した場合に、後に当該データ通信を再開するために必要な中止情報を保存しておき、待ち受け状態において定期的にcdma2000 1x-EVDO方式の基地局の捕捉を試行する。そして、cdma2000 1x-EVDO方式の基地局との間でデータ通信が可能になると、データ通信を再開するようにしている。したがって、ユーザはデータ通信を行うための操作を再度行う必要がなく、これにより操作性が改善される。
【００５８】
しかも、上記データの再開に先立ち、データ通信をリトライするか否かをユーザに問い合わせ、ユーザが「リトライする」を選択した場合に上記データ通信を再開し、「リトライしない」を選択した場合にはデータ通信を再開しないようにしている。したがって、データ通信の再開の可否についても、ユーザの意思を反映させることができる。
【００５９】
なお、この発明は上記実施形態に限定されるものではない。例えば、前記実施形態ではしきい値を設定して、残り通信データサイズがこのしきい値未満の場合にはデータ通信を自動継続するようにした。しかしそれに限らず、しきい値を設定せずに、残り通信データサイズが如何なるデータ量であっても、ユーザにデータ通信を継続するか中止するかを問い合わせ、ユーザがデータ通信の継続を指示した場合にデータ通信を継続するようにしてもよい。
【００６０】
また前記実施形態では、手動中止モードを設け、残り通信データサイズがしきい値以上の場合にはユーザにデータ通信を継続するか中止するか否かを問い合わせ、ユーザがデータ通信の中止を指示した場合にデータ通信を中止するようにした。しかしそれに限らず、自動中止モードのみを設け、残り通信データサイズがしきい値以上の場合には、ユーザへの問い合わせを行わずに無条件にデータ通信を中止するようにしてもよい。
【００６１】
反対に、手動中止モードのみを設け、残り通信データサイズがしきい値以上の場合には必ずユーザに対しデータ通信を継続するか中止するか否かを問い合わせ、これに対しユーザが中止を指示した場合にデータ通信を中止するようにしてもよい。
【００６２】
さらに、前記実施形態では中止情報に基づいてcdma2000 1x-EVDO方式の基地局の捕捉処理を無制限に繰り返すようにした。しかしそれに限らず、繰り返し回数の上限値を予め定めておくようにしてもよい。
【００６３】
さらに、前記実施形態ではデータの受信が中止された場合に、それまでに受信記憶されたデータをすべて消去するようにした。しかしそれに限らず、受信記憶されたデータを消去せずに保存しておき、データ受信を再開したときに未受信のデータを受信するようにしてもよい。これは、例えばパケットに番号を付しておき、中止直前に受信されたパケット番号を中止情報に含めて記憶しておくことで実現できる。
【００６４】
さらに、前記実施形態ではcdma2000 1x-EVDO方式の基地局とcdma2000 1x方式の基地局との間でハンドオフする場合を例にとって説明したが、通信レートが異なる複数の基地局間でハンドオフが行われるシステムであれば、この発明は如何なるシステムにも適用可能である。
【００６５】
その他、移動通信端末の種類や構成、判定条件設定制御、データ通信継続／中止制御及び通信再開制御の手順と内容等についても、この発明の要旨を逸脱しない範囲で種々変形して実施できる。
【００６６】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６７】
【図１】この発明に係わる移動通信端末の一実施形態である携帯電話機の構成を示すブロック図。
【図２】図１に示した携帯電話機の制御ユニットの機能構成を示すブロック図。
【図３】図２に示した制御ユニットによる判定条件設定制御の手順と内容を示すフローチャート。
【図４】図２に示した制御ユニットによるデータ通信継続／中止制御の手順と内容を示すフローチャート。
【図５】図２に示した制御ユニットによる通信再開制御の手順と内容を示すフローチャート。
【符号の説明】
【００６８】
１…アンテナ、２…無線ユニット、３…アンテナ共用器（ＤＵＰ）、４…受信ユニット、４１…ＥＤＶＯ対応受信回路、４２…１ｘ対応受信回路、５…送信ユニット、５１…ＥＤＶＯ対応送信回路、５２…１ｘ対応送信回路、６…ＣＤＭＡ信号処理ユニット、７…コンパンダ、８…ＰＣＭコーデック、９…受話増幅器、１０…スピーカ、１１…マイクロホン、１２…送話増幅器、１３…記憶ユニット、１４…入力デバイス、１５…表示デバイス、１６…バッテリ、１７…電源回路、１８…充電回路、２０…制御ユニット、２１…ＣＰＵ、２２…バス、２３…プログラムメモリ、２３１…通信モード切替制御プログラム、２３２…判定条件設定制御プログラム、２３３…通信継続／中止判定プログラム、２３４…通信自動中止制御プログラム、２３５…通信手動中止制御プログラム、２３６…通信再開制御プログラム、２４…データメモリ、２４１…条件記憶部、２５…入出力インタフェース。
【図１】
2007184771.tif 000003
【図２】
2007184771.tif 000004
【図３】
2007184771.tif 000005
【図４】
2007184771.tif 000006
【図５】
2007184771.tif 000007